(57)【要約】【課題】従来の組み立て式ブロック玩具は、ブロックに設けられた凹凸部の接合が垂直方向に固定される不自由さや、ボールジョイント方式の組み立てブロックではジョイント部を構成するボール収容部が２個以上のボール部を収容できないという不便さがあった。そこで、単独の連結部に対して少なくとも６個以上のブロックを可動自在に連結可能とすると同時に、柔軟な弾力性に富んだ連結構造とを備えたブロック玩具を簡単な構造で実現することを課題とするものである【解決手段】伸縮性を有するシリコンゴム系素材で形成された複数の連結用リングと、所定の完成形状を構成する複数種類のブロック成型と、前記ブロック成型の１又は複数の個所に前記連結用リングを着脱自在に挿入するフック部を備えた。【選択図】図１
2010057869.tif 000002
【特許請求の範囲】
【請求項１】
伸縮性を有するシリコンゴム系素材で形成された複数の連結用リングと、所定の完成形状を構成する複数種類のブロック成型と、前記ブロック成型の１又は複数の箇所に前記連結用リングを着脱自在に挿入するフック部を備えたことを特長とした組み立て式のブロック玩具。
【発明の詳細な説明】
【技術分野】
【０００１】  本発明は、組み立て構造における利便性を図ったブロック玩具に関する。
【背景技術】
【０００２】  従来のブロック玩具は、ブロックに設けられた凹凸構造を相互に圧入することで固定し、組み立てた複数ブロックの集合体として所定の完成形状を形成するものがある。
また、所定位置にボールジョイントの一方を構成するボール部と、このボール部を保持可能な状態で収容するボール収容部とを備えたブロックにおいて、ボール部とボール収容部との連結によって複数のブロックを連結し所定の完成形状を形成するものがある（例えば、特許文献１参照。）。【０００３】
【特許文献１】特開２００６−２６２９４４号公報
【発明の開示】
【発明が解決しようとする課題】
【０００４】  以上に述べた従来のブロック玩具は、ブロックに設けられた凹凸部の接合が垂直方向に限定されるため複数ブロックの連結形態において自由度が乏しく、また、硬く圧入された複数ブロックの集合体は柔軟性のない固まりを形成するものであった。
一方、ボールジョイント方式の組み立てブロックでは、ボールジョイント部を中心点としたブロックの可動が可能であるが、ジョイント部を構成するボール収容部には２個以上のボール部を収容できないという不便さがあった。【０００５】  本発明は、このような従来の構成が有していた問題を解決しようとするものであり、単独の連結部に対して少なくとも６個以上のブロックを可動自在に連結可能とすると同時に、柔軟な弾力性に富んだ連結構造とを備えたブロック玩具を簡単な構造で実現することを課題とするものである。
【課題を解決するための手段】
【０００６】  そして、本発明は上記目的を達成するために伸縮性を有するシリコンゴム系素材で形成された複数の連結用リングと、所定の完成形状を構成する複数種類のブロック成型と、前記ブロック成型の１又は複数箇所に前記連結用リングを着脱自在に挿入するフック部を備えたものである。【０００７】  上記の課題解決手段による作用は次の通りである。すなわち、少なくとも６個以上のブロック成型が備えた各フック部に対して単独の連結用リングを挿入することで各ブロックを可動自在に連結することができると同時に、各ブロックの連結部においては、連結用リングの伸縮性によって物理的弾力効果を発揮できる。
【発明の効果】
【０００８】  上述したように本発明の組み立て式ブロック玩具は、少なくとも６個以上のブロック成型を可動自在に連結できるため、より自由度の高い創造性に富んだ連結形態を形成できると同時に、連結部が物理的弾力性を備えているため、完成形状において柔軟な弾力性を備えたブロック玩具を簡単な構造で提供できる。
【発明を実施するための最良の形態】
【０００９】  伸縮性を有するシリコンゴム系素材で形成された複数の連結用リングと、所定の完成形状を構成する複数種類のブロック成型と、前記ブロック成型の１又は複数の箇所に前記連結用リングを着脱自在に挿入するフック部を備えた組み立て式のブロック玩具。
【実施例】
【００１０】  以下、図を参照して、本発明を適用した実施の形態について説明する。まず、図１に基づき完成形状を構成する部品の説明を行う。実施例では、犬を模したキャラクターを完成形状としている。【００１１】  １〜６は湾曲した筒型風船状の同一形状で形成されたブロック成型で、完成形状における連結状態に対応してフック部Ａがブロック成型ごとに配置されている。ブロック成型１及び２は４箇所にフック部を備えており、ブロック成型３は３箇所、ブロック成型４は１箇所、ブロック成型５及び６は２箇所にそれぞれフック部を備えている。また、ブロック成型６のフック部の内、片方のフック部は延長軸を有している。各ブロック成型の数は、ブロック成型１〜４が各１個ずつ、ブロック成型５及び６が各２個ずつで構成されている。【００１２】  ７〜１３は固有の形状で形成されたブロック成型で、完成形状においては特定の部位を形成する。実施例では、ブロック成型７は鼻部、ブロック成型９は眼球部、ブロック成型１０は胴体部、ブロック成型１１は耳部、ブロック成型１２は頬部、ブロック成型１３は舌部をそれぞれ形成しており、ブロック成型８は吊り下げ用のヒートン金具Ｂを備えている。ブロック成型７及び８は２箇所にフック部を備えており、ブロック成型９〜１３はそれぞれ１箇所にフック部を備えている。各ブロック成型の数は、ブロック成型７、８、１０、１３が各１個ずつ、ブロック成型９、１１、１２が各２個ずつで構成されている。【００１３】  １４は連結用リングで、伸縮性を有するシリコンゴム系素材で形成されている。また、実施例における全１８個のブロック成型の組み立てには、連結用リング１４ａ〜１４ｋの１１個を使用する。【００１４】  次に、図２及び図３を使用し連結用リングとフック部の連結構造の説明を行う。図２は、連結用リング１４とフック部Ａの拡大図であり、図３は、図２におけるＤ−Ｄ線断面図と、フック部Ａに連結用リング１４が挿入されている状態を示している。また、Ｃはフック部Ａの開口部の長さを示している。開口部Ｃは連結用リング１４の断面直径より適度に狭く形成されており、伸縮性を有する連結用リング１４を着脱自在に収容できると同時に自然離脱を防止する作用を有している。【００１５】  次に、図４を使用し単独の連結用リングと複数ブロックとの連結形態の説明を行う。（Ａ）は、連結用リング１４の中心軸を視点とした平面図であり、単独の連結用リング１４には少なくとも６個のブロック成型５ａ〜５ｆを水平状に連結することができる。また、図例ではブロック成型５を図示しているが、ブロック成型１〜６のいずれであってもよい。（Ｂ）は、（Ａ）の側面図であるが、連結部を図示するためブロック成型５ｅ、５ｆの図示は省略している。（Ｃ）は、（Ｂ）の側面図に３個のブロック成型５ｇ、５ｈ、５ｉを追加連結した図であり、連結用リング１４を中心とした空間には更にブロック成型を追加連結することが可能である。また、各ブロック成型は連結部を中心とした可動が可能であることから、もう一方のフック部の連結対象を広範囲に選択できる。【００１６】  次に図５〜図２０を使用して、本発明によるブロック玩具の組み立て工程の説明を行う。【００１７】  図５は、ブロック成型��と２個のブロック成型９を連結した状態を示した俯瞰図である。連結用リング１４ａはブロック成型８のフック部左側と一方のブロック成型９とを連結し、連結用リング１４ｂは、ブロック成型８のフック部右側ともう一方のブロック成型９とを連結している。【００１８】  図６は、図５の組み立て工程を示した三面図である。【００１９】  図７は、図５の組み立て工程に加えてブロック成型１〜３を連結した状態を示した俯瞰図である。ブロック成型１をブロック成型８の上方左側に、ブロック成型２をブロック成型８の上方右側に、ブロック成型３をブロック成型８の下側にそれぞれ両端のフック部が隣接するように配置し、前面に隣接した各フック部を連結用リング１４ｃで連結し、背面に隣接した各フック部を連結用リング１４ｄで連結している。【００２０】  図８は、図７の組み立て工程を示した三面図である。【００２１】  図９は、図７の組み立て工程に加えてブロック成型１０及びブロック成型１３を連結した状態を示した俯瞰図である。連結用リング１４ｅは、ブロック成型３の中央下側のフック部と連結し、さらに、ブロック成型１０及び１３のフック部と連結している。【００２２】  図１０は、図９の組み立て工程を示した三面図である。【００２３】  図１１は、図９の組み立て工程に加えてブロック成型７及び２個のブロック成型５を連結した状態を示した俯瞰図である。ブロック成型７をブロック成型３とブロック成型１３の間に、一方のブロック成型５をブロック成型１３の下側に、もう一方のブロック成型５を背面にそれぞれ両端のフック部が隣接するように配置し、右側に隣接した各フック部を連結用リング１４ｆで連結し、左側に隣接した各フック部を連結用リング１４ｇで連結している。【００２４】  図１２は、図１１の組み立て工程を示した三面図である。【００２５】  図１３は、図１１の組み立て工程に加えて２個のブロック成型６を連結した状態を示した俯瞰図である。一方のブロック成型６が備えた長軸のフック部を既に設置済みの連結用リング１４ｆと連結し、短軸のフック部とブロック成型２の側面後方のフック部とを連結用リング１４ｈで連結している。また、もう一方のブロック成型６が備えた長軸のフック部を既に設置済みの連結用リング１４ｇと連結し、短軸のフック部とブロック成型１の側面後方のフック部とを連結用リング１４ｉで連結している。【００２６】  図１４は、図１３の組み立て工程を示した三面図である。【００２７】  図１５は、図１３の組み立て工程に加えて２個のブロック成型１２を連結した状態を示した俯瞰図である。一方のブロック成型１２のフック部は、既に設置済みの連結用リング１４ｆと連結しており、もう一方のブロック成型１２のフック部は既に設置済みの連結用リング１４ｇと連結している。【００２８】  図１６は、図１５の組み立て工程を示した三面図である。【００２９】  図１７は、図１５の組み立て工程に加えて２個のブロック成型１１を連結した状態を示した俯瞰図である。連結用リング１４ｊはブロック成型１の側面前方のフック部と、一方のブロック成型１１のフック部とを連結しており、連結用リング１４ｋはブロック成型２の側面前方のフック部と、もう一方のブロック成型１１のフック部とを連��している。【００３０】  図１８は、図１７の組み立て工程を示した三面図である。【００３１】  図１９は、図１７の組み立て工程に加えてブロック成型４を連結し、全１８個のブロック成型を組み立てた状態を示した俯瞰図である。ブロック成型４のフック部は、既に設置済みの連結用リング１４ｄと連結している。【００３２】  図２０は、図１９の組み立て工程を示した三面図である。【００３３】  以上説明したように構成することにより、単独の連結用リングに対して少なくとも６個以上のブロック成型を可動自在に連結できるため、より自由度の高い創造性に富んだ連結形態を形成できると同時に、連結部が物理的弾力性を備えているため、完成形状において柔軟な弾力性を備えたブロック玩具を簡単な構造で提供できる。また、実施例として犬を模したキャラクターを完成形状としたブロック成型群を用いて本発明を説明したが、本発明はその実施例に限定されるものではなく、フック部の配置やブロック成型の形状を改変することで多種多様な完成形状を形成することができる。
【図面の簡単な説明】
【００３４】
【図１】  本発明の一実施例であるブロック玩具の部品構成を示す図
【図２】  同連結用リングとフック部を示す拡大図
【図３】  同連結用リングの図２におけるＤ−Ｄ線断面図とフック部の図
【図４】  同連結用リングと複数ブロックとの連結形態を示す図
【図５】  同ブロック成型８と９を連結した形態を示す俯瞰図
【図６】  同俯瞰図５の形態を示す三面図
【図７】  同ブロック成型１〜３を追加連結した形態を示す俯瞰図
【図８】  同俯瞰図７の形態を示す三面図
【図９】  同ブロック成型１０及び１３を追加連結した形態を示す俯瞰図
【図１０】  同俯瞰図９の形態を示す三面図
【図１１】  同ブロック成型７及び５を追加連結した形態を示す俯瞰図
【図１２】  同俯瞰図１１の形態を示す三面図
【図１３】  同ブロック成型６を追加連結した形態を示す俯瞰図
【図１４】  同俯瞰図１３の形態を示す三面図
【図１５】  同ブロック成型１２を追加連結した形態を示す俯瞰図
【図１６】  同俯瞰図１５の形態を示す三面図
【図１７】  同ブロック成型１１を追加連結した形態を示す俯瞰図
【図１８】  同俯瞰図１７の形態を示す三面図
【図１９】  同ブロック成型４を追加連結した形態を示す俯瞰図
【図２０】  同俯瞰図１９の形態を示す三面図
【符号の説明】
【００３５】１    ブロック成型
２    ブロック成型
３    ブロック成型
４    ブロック成型
５    ブロック成型
６    ブロック成型
７    ブロック成型
８    ブロック成型
９    ブロック成型
１０  ブロック成型
１１  ブロック成型
１２  ブロック成型
１３  ブロック成型
１４ａ〜１４ｋ  連結用リング
Ａ    フック部
Ｂ    ヒートン金具
Ｃ    フック部の開口部
【図１】
2010057869.tif 000003
【図２】
2010057869.tif 000004
【図３】
2010057869.tif 000005
【図４】
2010057869.tif 000006
【図５】
2010057869.tif 000007
【図６】
2010057869.tif 000008
【図７】
2010057869.tif 000009
【図８】
2010057869.tif 000010
【図９】
2010057869.tif 000011
【図１０】
2010057869.tif 000012
【図１１】
2010057869.tif 000013
【図１２】
2010057869.tif 000014
【図１３】
2010057869.tif 000015
【図１４】
2010057869.tif 000016
【図１５】
2010057869.tif 000017
【図１６】
2010057869.tif 000018
【図１７】
2010057869.tif 000019
【図１８】
2010057869.tif 000020
【図１９】
2010057869.tif 000021
【図２０】
2010057869.tif 000022